(57)【要約】【課題】強度を向上させて変形や破損等を防ぐことができ、長期に亘って使用することが可能な結束帯用収納容器及びその取り扱い方法を提供する。【解決手段】コイル形に巻かれた長尺の結束帯３０を収納容器１に収納する結束帯用収納容器であり、収納容器１を段ボール紙により背の低い有底角筒形の箱に形成し、この収納容器１の周壁を形成する背面板４に、収納容器１を開閉する蓋板５を屈曲可能に接続するとともに、この蓋板５の中心部付近に、収納された結束帯３０用の引出口１１を穿孔し、収納容器１の背面板４には、蓋板５の引出口１１とは異なる平面に位置する結束帯３０切断用のカッター２０を装着する。収納容器１がコートボール紙ではなく、強度に優れる段ボール紙により製函形成され、しかも、底板２に、結束帯３０引き出し用の大きな円形の作業口が穿孔されることがないので、優れた剛性を得ることができ、収納容器１の変形や破損を防止できる。【選択図】図１
2019108150.tif 000002
【特許請求の範囲】
【請求項１】
収納容器に結束帯を収納する結束帯用収納容器であって、収納容器を段ボール紙により略有底筒形に形成し、この収納容器の周壁に、収納容器を開閉する蓋板を接続するとともに、この蓋板に、結束帯用の引出口を設け、収納容器には、蓋板の引出口とは異なる面に位置する結束帯用の切断部材を設けたことを特徴とする結束帯用収納容器。
【請求項２】
収納容器は、結束帯を搭載する底板と、この底板の一端部に接続される正面板と、底板の他端部に接続されて正面板に対向可能な背面板と、この背面板に接続されて底板に対向可能な蓋板と、この蓋板に接続されて正面板に対向可能な重ね正面板と、底板の両側部にそれぞれ接続されて相互に対向可能な複数の側板とを含み、正面板と背面板の側部に、側板に重なるフラップ片をそれぞれ屈曲可能に接続した請求項１記載の結束帯用収納容器。
【請求項３】
側板は、底板の側部に接続される第一の側板と、この第一の側板に屈曲可能に接続して重ねられる第二の側板とを含み、これら第一、第二の側板の間に、正面板と背面板のフラップ片をそれぞれ挟み持たせる請求項２記載の結束帯用収納容器。
【請求項４】
重ね正面板の側部に、挟持フラップ片を屈曲可能に接続し、この挟持フラップ片を、側板の第一の側板とフラップ片との間に挟み持たせる請求項３記載の結束帯用収納容器。
【請求項５】
底板と側板の第一の側板との間に挿入孔を形成し、側板の第二の側板に、挿入孔に挿入される挿入部を突出形成した請求項３又は４記載の結束帯用収納容器。
【請求項６】
切断部材は、収納容器の底板、背面板、重ね正面板、及び側板のいずれかに取り付けられる切断板と、この切断板に形成される切断操作片とを含み、これら切断板と切断操作片との間に結束帯を挟んで切断する請求項１ないし５のいずれかに記載の結束帯用収納容器。
【請求項７】
請求項１ないし６のいずれかに記載した結束帯用収納容器から結束帯を引き出して切断する結束帯用収納容器の取り扱い方法であって、
収納容器の蓋板の引出口から結束帯を外部に引き出し、この外部に引き出した結束帯を切断部材により切断することを特徴とする結束帯用収納容器の取り扱い方法。
【発明の詳細な説明】
【技術分野】
【０００１】
本発明は、包装袋の口止め、配線の整理、植木の固定等に使用される結束帯用収納容器及びその取り扱い方法に関するものである。
【背景技術】
【０００２】
ビニール袋やポリ袋等に代表される樹脂袋の口止め、コードやケーブルの整理、ガーデニングの支柱の結束等には、鉄芯内蔵の結束帯（カラータイとも、結束用紐とも呼ばれる）３０が使用される（特許文献１、２、３参照）が、この鉄芯内蔵の結束帯３０は、ストレスなく使用することができるよう、結束帯用収納容器４０に収納されている。
【０００３】
この種の結束帯用収納容器４０は、様々なタイプがある（例えば、特許文献４参照）が、例えば図１０に示すように、安価な薄いコートボール紙（厚紙）により縦型の箱に製函形成され、長尺の結束帯３０が巻いた状態で収納される。この結束帯用収納容器４０の正面板４１の中心部付近には、結束帯用の引出口４２が穿孔され、正面板４１の中心部と周縁部との間付近には、結束帯３０の有無を確認する確認孔４３が切り欠かれており、背面板の中央部付近には、結束帯引き出し用の大きな円形の作業口が穿孔されている。
【０００４】
結束帯用収納容器４０の背面板上部からは、横長の薄い吊板４４が上方に突出し、この吊板４４には、陳列用の丸いフック孔４５が穿孔されるとともに、結束帯用のカッター４６が装着されており、このカッター４６が引出口４２から引き出された結束帯３０を切断する。また、結束帯用収納容器４０の両側板４７は、それぞれ開閉可能なフラップ構造に形成され、結束帯用収納容器４０の製造工程において、結束帯３０を収納する際に開放されるとともに、結束帯３０の収納後に閉塞される。
【０００５】
このような結束帯用収納容器４０に収納された結束帯３０を使用する場合には、例えば、結束帯用収納容器４０を寝かせて正面板４１を上向きとし、結束帯３０の先端部を摘まんで所定の長さ分、カッター４６方向に引き出し、その後、吊板４４を押さえながらカッター４６を操作し、引き出した結束帯３０を切断すれば、所定の長さの結束帯３０を使用することができる。
【先行技術文献】
【特許文献】
【０００６】
【特許文献１】特開２０１３‐５２８９１号公報
【特許文献２】特開２０１５‐２２８８８６号公報
【特許文献３】特開平０９‐０６６９６０号公報
【特許文献４】特開２００９‐２５５９８３号公報
【発明の概要】
【発明が解決しようとする課題】
【０００７】
従来における結束帯用収納容器４０は、以上のようにコートボール紙により形成されているので、結束帯３０の切断時等に変形や破損を招き易いという問題がある。また、コートボール紙は、安価ではあるものの、強度に欠けるので、結束帯３０のみを交換し、結束帯用収納容器４０を長期に亘り使用することができないという問題がある。さらに、結束帯３０を切断する際、結束帯用収納容器４０を掴みながらカッター４６を操作しようとすると、薄い吊板４４が上下方向に撓み、カッター４６を適切に操作することができず、その結果、結束帯３０の切断作業に支障を来すことがある。
【０００８】
本発明は上記に鑑みなされたもので、強度を向上させて変形や破損等を防ぐことができ、長期に亘って使用することが可能な結束帯用収納容器及びその取り扱い方法を提供することを目的としている。
【課題を解決するための手段】
【０００９】
本発明においては上記課題を解決するため、収納容器に結束帯を収納するものであって、
収納容器を段ボール紙により略有底筒形に形成し、この収納容器の周壁に、収納容器を開閉する蓋板を接続するとともに、この蓋板に、結束帯用の引出口を設け、収納容器には、蓋板の引出口とは異なる面に位置する結束帯用の切断部材を設けたことを特徴としている。
【００１０】
なお、収納容器は、結束帯を搭載する底板と、この底板の一端部に接続される正面板と、底板の他端部に接続されて正面板に対向可能な背面板と、この背面板に接続されて底板に対向可能な蓋板と、この蓋板に接続されて正面板に対向可能な重ね正面板と、底板の両側部にそれぞれ接続されて相互に対向可能な複数の側板とを含み、正面板と背面板の側部に、側板に重なるフラップ片をそれぞれ屈曲可能に接続することができる。
【００１１】
また、側板は、底板の側部に接続される第一の側板と、この第一の側板に屈曲可能に接続して重ねられる第二の側板とを含み、これら第一、第二の側板の間に、正面板と背面板のフラップ片をそれぞれ挟み持たせることができる。
また、重ね正面板の側部に、挟持フラップ片を屈曲可能に接続し、この挟持フラップ片を、側板の第一の側板とフラップ片との間に挟み持たせることもできる。
また、底板と側板の第一の側板との間に挿入孔を形成し、側板の第二の側板に、挿入孔に挿入される挿入部を突出形成することが可能である。
【００１２】
また、切断部材は、収納容器の底板、背面板、重ね正面板、及び側板のいずれかに取り付けられる切断板と、この切断板に形成される切断操作片とを含み、これら切断板と切断操作片との間に結束帯を挟んで切断することが可能である。
また、切断部材は、収納容器の底板、背面板、重ね正面板、及び側板のいずれかに取り付けられる切断板と、この切断板の一部により形成される切断操作片とを含み、切断板の残部と切断操作片との間に結束帯を挟んで切断することが可能である。
【００１３】
また、本発明においては上記課題を解決するため、請求項１ないし６のいずれかに記載した結束帯用収納容器から結束帯を引き出して切断する結束帯用収納容器の取り扱い方法であって、
収納容器の蓋板の引出口から結束帯を外部に引き出し、この外部に引き出した結束帯を切断部材により切断することを特徴としている。
【００１４】
ここで、特許請求の範囲における結束帯は、略シート形の樹脂や用紙に鉄芯を内蔵したタイプが好ましいが、切断部材で切断可能なタイプであれば、特に限定されるものではない。切断部材は、収納容器の蓋板以外に設けることができ、特に収納容器の周壁（背面板、重ね正面板、又は側板）に設けることが好ましい。この切断部材の切断板と切断操作片とは、一体型でも良いし、別体型でも良い。
【００１５】
本発明によれば、収納容器をコートボール紙ではなく、強度等に優れる段ボール紙により形成し、しかも、底板等に、結束帯引き出し用の大きな作業口を穿孔しないので、収納容器の剛性を向上させることができる。また、収納容器が強度に優れるので、結束帯用収納容器を詰め替えタイプとし、結束帯のみを交換し、収納容器を継続して使用することができる。
【発明の効果】
【００１６】
本発明によれば、結束帯用収納容器の強度を向上させて変形や破損等を防ぐことができ、結束帯のみを交換して収納容器を長期に亘って使用することができるという効果がある。
【００１７】
請求項２記載の発明によれば、収納容器の蓋板の一部分が開放するのではなく、蓋体の全部分が開放するので、結束帯の収納や交換の作業性を向上させることができる。また、収納容器の正面板、背面板、及び側板をフラップ片により接続することができるので、収納容器の正面板、背面板、及び側板を強固に組み合わせることができる。
【００１８】
請求項３記載の発明によれば、側板を、第一、第二の側板により、肉厚の二重構造に形成するので、側板の強度を向上させることができる。また、第一、第二の側板の間に、正面板と背面板のフラップ片をそれぞれ挟み持たせることができるので、収納容器の正面板、背面板、及び側板に接着剤を敢えて用いることなく、強固に接続し、正面板、背面板、及び側板が分離して形態が崩れるのを防止することが可能となる。
【００１９】
請求項４記載の発明によれば、重ね正面板の挟持フラップ片を、フラップ片と側板の第一の側板との間に挿入すれば、正面板から重ね正面板が離れ、蓋板が不用意に開放して結束帯が汚染するのを防止することが可能となる。
【００２０】
請求項５記載の発明によれば、底板と側板との間の挿入孔に第二の側板の挿入部を挿入すれば、第一の側板から第二の側板が離れ、正面板、背面板、側板の姿勢が崩れることがなく、しかも、側板の強度低下を招くことが少ない。
請求項６記載の発明によれば、切断部材を蓋板とは異なる象限の底板、背面板、重ね正面板、又は側板に取り付けるので、切断部材の切断力の向上が期待できる。
【図面の簡単な説明】
【００２１】
【図１】本発明に係る結束帯用収納容器の実施形態における使用状態を背面側から模式的に示す斜視説明図である。
【図２】本発明に係る結束帯用収納容器の実施形態を背面側から模式的に示す斜視説明図である。
【図３】本発明に係る結束帯用収納容器の実施形態を正面側から模式的に示す斜視説明図である。
【図４】本発明に係る結束帯用収納容器の実施形態における収納容器を模式的に示す展開図である。
【図５】本発明に係る結束帯用収納容器の実施形態における収納容器の蓋板を開いた状態を模式的に示す平面図である。
【図６】本発明に係る結束帯用収納容器の実施形態におけるカッターを模式的に示す説明図である。
【図７】本発明に係る結束帯用収納容器の実施形態における収納容器を模式的に示す底面説明図である。
【図８】本発明に係る結束帯用収納容器の第２の実施形態を模式的に示す説明図である。
【図９】本発明に係る結束帯用収納容器の第２の実施形態におけるカッターを模式的に示す説明図である。
【図１０】従来における結束帯用収納容器を示す斜視説明図である。
【発明を実施するための形態】
【００２２】
以下、図面を参照して本発明の好ましい実施の形態を説明すると、本実施形態における結束帯用収納容器は、図１ないし図７に示すように、収納容器１に鉄芯３１を内蔵した長尺の結束帯３０を収納する専用の容器であり、収納容器１を段ボール紙により背の低い有底角筒形の箱に形成し、この収納容器１の周壁を形成する背面板４に、収納容器１を開閉する蓋板５を揺動可能に接続するとともに、この蓋板５に、結束帯３０用の引出口１１を穿孔し、収納容器１の背面板４には、蓋板５とは異なる面に位置する結束帯３０用のカッター２０を装着するようにしている。
【００２３】
収納容器１は、薄いコートボール紙ではなく、強度に優れる段ボール紙、具体的には厚さ約０．５〜０．９ｍｍ程度のＧフルート（マイクロフルートとも呼ばれる）、厚さ約０．９〜１．２ｍｍ程度のＦフルートにより打ち抜き形成される。これらの中では、加工性、緩衝性、強度、軽量性、耐久性等に優れるＧフルートの採用が好ましい。このＧフルートは、表面平滑性や印刷適性にも優れ、高品質のオフセットダイレクト印刷を可能にするという特徴を有する。
【００２４】
収納容器１は、図１ないし図７に示すように、巻装された結束帯３０を搭載可能な平面矩形の底板２と、この底板２の前端部に屈曲可能に接続される横長で長方形の正面板３と、底板２の後端部に屈曲可能に接続されて正面板３に対向する横長で長方形の背面板４と、この背面板４の端部に屈曲可能に接続されて底板２に対向する平面矩形の蓋板５と、この蓋板５の前端部に屈曲可能に接続されて正面板３に対向する横長で長方形の重ね正面板６と、底板２の左右両側部にそれぞれ屈曲可能に接続されて相互に対向する横長で長方形の一対の側板７とを備え、正面板３と背面板４の両側部に、側板７の内側に重なる多角形のフラップ片８がそれぞれ屈曲可能に接続される。
【００２５】
底板２と各側板７との間の中央部付近には、収納容器１の前後方向に伸びる溝形の挿入孔９がそれぞれ穿孔される。また、蓋板５は、底板２と同じ大きさに形成され、表面（外面）に所定事項が印刷された平面矩形のラベル１０が貼着される。この蓋板５の略中心部付近には、平面円形の引出口１１が穿孔され、この引出口１１を結束帯３０の先端部が挿通して外部に突出する。重ね正面板６の両側部には、挟持フラップ片１２がそれぞれ屈曲可能に接続され、各挟持フラップ片１２が一部湾曲した先細りに形成される。
【００２６】
各側板７は、強度を高める観点から、底板２の側部に屈曲可能に接続される横長で長方形の第一の側板１３と、この第一の側板１３の端部に屈曲可能に接続して内面に重ねられる横長で長方形の第二の側板１４とを備えた二重構造に形成される。これら第一、第二の側板１３・１４の間には、正面板３と背面板４のフラップ片８がそれぞれ挿入して挟持され、第一の側板１３とフラップ片８との間には、重ね正面板６の挟持フラップ片１２が挿入して挟持される。
【００２７】
第一の側板１３と底板２の間の中央部付近には、収納容器１の前後方向に伸びる溝形の挿入孔９が穿孔される。また、第二の側板１４の端部中央付近には、挿入孔９に挿入される略台形で先細りの挿入部１５が突出形成され、この挿入部１５の挿入により、第二の側板１４が傾斜することなく姿勢が安定する。
【００２８】
カッター２０は、図１、図２、図６、図７に示すように、収納容器１の背面板４の一側部から中央部にかけて複数の固定具を介し装着される横長で長方形の切断板２１を備え、この切断板２１に平面略Ｌ字形の切り欠き２２が切り欠かれており、この平面略Ｌ字形の切り欠き２２により、切断板２１の一部が傾斜しながら起立してバネ性の切断操作片２３に形成される。このカッター２０は、例えば着色された合金工具鋼やタングステン鋼等により形成され、切断板２１の残部と切断操作片２３の側部とが隣接しており、この隣接した切断板２１の残部と切断操作片２３の側部とがそれぞれ鋭利な刃部２４に形成される。
【００２９】
切断板２１の残部と切断操作片２３の起立開始部との間には、切断操作片２３の操作性に資する丸孔２５が切り欠かれる。また、切断操作片２３は、基本的には細い略へ字形に屈曲形成され、先端部が所定の角度でさらに屈曲形成されて収納容器１の隅部付近に接近し、この先端部が指Ｆで押圧操作される。このようなカッター２０は、結束帯用収納容器の隅部寄りに位置し、切断板２１の残部と切断操作片２３の側部との間に引き出された結束帯３０を挟持した後、切断操作片２３の先端部が切断板２１の残部方向に指Ｆで押圧操作されることにより、刃部２４で結束帯３０を切断するよう機能する。
【００３０】
結束帯３０は、図１ないし図３、図５に示すように、例えば細長い鉄芯３１を略シート形の被覆材３２で被覆した長さ２０〜３０ｍ、幅４ｍｍの平面帯形に成形され、任意の長さに切断して使用できるよう、略コイル形に順巻きされて収納容器１内に交換可能に収納される。鉄芯３１としては、例えば屈曲可能な軟鋼線材等が使用される。また、被覆材３２としては、ポリ塩化ビニル（ＰＶＣ）、ポリエステルとポリエチレンの複合材、所定の紙等が用いられ、意匠性を高めるため、所定の色彩（例えば、白色、黒色、赤色、黄色、青色、緑色、灰色等）で着色される。
【００３１】
上記構成において、結束帯用収納容器を組み立てて結束帯３０を収納する場合には、先ず、展開した結束帯用収納容器の正面板３と背面板４とをそれぞれ起こして対向させ、これら正面板３と背面板４の複数のフラップ片８をそれぞれ内側に折り込む。こうして各フラップ片８を内側に折り込んだら、底板２両側部の一対の側板７をそれぞれ起こして対向させ、各側板７の第二の側板１４を内側に折り畳んで第一の側板１３の内面に重ねるとともに、第一、第二の側板１３・１４の間に、正面板３と背面板４の複数のフラップ片８をそれぞれ挟持させ、底板２と各側板７との間の挿入孔９に第二の側板１４の挿入部１５を上方から挿入して強固な箱構造を構成する。
【００３２】
次いで、底板２、正面板３、背面板４、及び一対の側板７に区画された平面矩形の空間にコイル形に巻装された結束帯３０を収納（図５参照）し、この結束帯３０の先端部を蓋板５の引出口１１に挿通し、結束帯３０の先端部を蓋板５の引出口１１外部に突出させる（図２、図３参照）。こうして結束帯３０の先端部を蓋板５の引出口１１外部に突出させたら、蓋板５を底板２方向に寝かせて正面板３に重ね正面板６の内面を重ね、この重ね正面板６の一対の挟持フラップ片１２をそれぞれ内側に折り込み、各挟持フラップ片１２をフラップ片８と側板７の第一の側板１３との間に挿入して挟持させれば、結束帯用収納容器を組み立てて結束帯３０を収納することができる。
【００３３】
次に、結束帯用収納容器に収納された結束帯３０を使用する場合には、先ず、結束帯３０の先端部を摘まんで所定の長さ分、カッター２０方向に引き出し、この引き出した結束帯３０をカッター２０の切断板２１の刃部２４と切断操作片２３の刃部２４との間に挟んだ後、切断操作片２３を押圧操作（図１参照）して圧下すれば、結束帯３０を切断し、所定の長さの結束帯３０を使用することができる。
【００３４】
この切断作業の際、背面板４は、一体化したフラップ片８、第一、第二の側板１３・１４に強固に支持されることとなる。したがって、例えカッター２０の切断操作片２３を強く押圧操作しても、背面板４が撓んで大きく変形することがなく、結束帯３０の切断作業に支障を来したり、結束帯用収納容器の耐久性が低下するのを有効に防止することができる。
【００３５】
次に、結束帯３０を使い切り、新たな結束帯３０を結束帯用収納容器に収納して使用する場合には、正面板３から重ね正面板６を引き離し、フラップ片８と側板７の第一の側板１３との間から挟持フラップ片１２を引き抜き、蓋板５を揺動させて結束帯用収納容器の開口上部を開放するとともに、詰め替え用の新たな結束帯３０を結束帯用収納容器内に収納し、その後、新たな結束帯３０の先端部を蓋板５の引出口１１に挿通してその先端部を蓋板５の引出口１１外部に突出させれば、新たな結束帯３０を結束帯用収納容器に収納して使用することができる。この際、結束帯３０の突出した先端部をカッター２０の切断操作片２３に巻いておくと、後の使用時に便利である。
【００３６】
上記構成によれば、収納容器１がコートボール紙ではなく、強度に優れるＧフルート等の段ボール紙により製函形成され、しかも、底板２に、結束帯３０引き出し用の大きな円形の作業口が穿孔されることがないので、優れた剛性を得ることができ、収納容器１の変形や破損を有効に防止することができる。また、収納容器１が強度や耐久性に優れるので、結束帯用収納容器を詰め替えタイプとし、結束帯３０のみを交換し、既存の収納容器１を長期に亘り継続使用することができる。また、既存の収納容器１の長期使用に伴い、収納容器１を廃棄する必要がないので、廃棄物やＣＯ２排出量を削減することができる。
【００３７】
また、カッター２０が蓋板５の引出口１１とは異なる平面の背面板４に装着され、しかも、結束帯用収納容器の固い隅部寄りに位置するので、カッター２０の切断時に作用する負荷を結束帯用収納容器の固い隅部付近に吸収させることが可能となる。したがって、カッター２０のカット性の向上が大いに期待できる。また、蓋板５が揺動して結束帯用収納容器の開口上部の全面を開放するので、結束帯３０の収納や交換の障害物が何ら存在せず、収納作業や交換作業の作業性向上が大いに期待できる。
【００３８】
また、側板７を第一、第二の側板１３・１４からなる肉厚の二重構造に形成し、これら第一、第二の側板１３・１４の間に、正面板３と背面板４の先細りのフラップ片８を挟持させるので、正面板３、背面板４、及び側板７を接着剤なしで強固に組み立てることが可能となる。また、底板２と側板７との間の挿入孔９に第二の側板１４の挿入部１５を挿入するので、第一の側板１３から第二の側板１４が離れ、強度低下を招くことがない。さらに、重ね正面板６の挟持フラップ片１２をフラップ片８と第一の側板１３との間に挿入して挟持させるので、正面板３から重ね正面板６が離れ、蓋板５が不用意に開放して収納容器１に塵埃等が混入したり、結束帯３０が汚染するのを有効に防止することができる。
【００３９】
次に、図８と図９は本発明の第２の実施形態を示すもので、この場合には、カッター２０の切断板２１の残部と切断操作片２３の起立開始部との間に、切断操作片２３の操作性に資する略楕円形のトラック孔２６を穿孔するようにしている。その他の部分については、上記実施形態と同様であるので説明を省略する。
本実施形態においても上記実施形態と同様の作用効果が期待でき、しかも、丸孔２５をより大きいトラック孔２６に変更するので、カッター２０の構成の多様化が期待できるのは明らかである。
【００４０】
なお、上記実施形態では収納容器１を単に示したが、収納容器１の表面（外面）にニス等を塗布し、強度を向上させても良い。また、上記実施形態の収納容器１の背面板４、蓋板５、重ね正面板６、及び側板７の少なくともいずれかに、スケールを印刷形成し、切断する結束帯３０の長さ測定の便宜を図るようにしても良い。また、収納容器１の正面板３と側板７、及び背面板４と側板７には、店頭における悪戯防止の観点から、接続固定用のシールをそれぞれ貼着しても良い。
【００４１】
また、上記実施形態では収納容器１の背面板４に結束帯３０用のカッター２０を装着したが、何らこれに限定されるものではない。例えば、収納容器１の底板２、重ね正面板６、又は側板７に結束帯３０切断用のカッター２０を装着しても良い。また、底板２の前端部と正面板３との間の中央部付近に、収納容器１の左右方向に伸びる溝形の挿入孔９を形成し、重ね正面板６の端部中央付近に、挿入孔９に挿入される略台形で先細りの挿入部１５を突出形成することができる。また、蓋板５の略中心部以外の部分、例えば蓋板５の周縁部寄りに、引出口１１を穿孔することができる。
【００４２】
また、蓋板５の中心部と周縁隅部との間付近に、結束帯３０の有無を確認する略円弧形等の確認孔４３を必要数穿孔することができる。また、カッター２０の切断板２１と切断操作片２３とを一体形成したが、何らこれに限定されるものではない。例えば、カッター２０を、収納容器１の背面板４等の周壁に固定具を介し装着される切断板２１と、この切断板２１に取り付けられ、傾斜しながら起立するバネ性の切断操作片２３との２部品から形成し、これら切断板２１と切断操作片２３との間に結束帯３０を挟んで切断することが可能である。
【００４３】
また、結束帯３０を巻芯に巻いた状態で収納容器１内に交換可能に収納することも可能である。さらに、結束帯３０は、標準的な上記タイプでも良いが、細長い鉄芯３１を筒形の被覆材３２で被覆した長さ２０〜３０ｍのチューブ形のタイプとすることも可能である。
【産業上の利用可能性】
【００４４】
本発明に係る結束帯用収納容器及びその取り扱い方法は、各種の包装、梱包、配線整理、植物の固定等の分野で使用される。
【符号の説明】
【００４５】
１        収納容器
２        底板
３        正面板
４        背面板
５        蓋板
６        重ね正面板
７        側板
８        フラップ片
９        挿入孔
１１      引出口
１２      挟持フラップ片
１３      第一の側板
１４      第二の側板
１５      挿入部
２０      カッター（切断部材）
２１      切断板
２３      切断操作片
２４      刃部
２５      丸孔
３０      結束帯
３１      鉄芯
４０      結束帯用収納容器
【図１】
2019108150.tif 000003
【図２】
2019108150.tif 000004
【図３】
2019108150.tif 000005
【図４】
2019108150.tif 000006
【図５】
2019108150.tif 000007
【図６】
2019108150.tif 000008
【図７】
2019108150.tif 000009
【図８】
2019108150.tif 000010
【図９】
2019108150.tif 000011
【図１０】
2019108150.tif 000012
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
段ボール紙により略有底筒形に形成された収納容器に結束帯を収納し、収納容器の周壁に、結束帯用の切断部材を設けた結束帯用収納容器であって、
収納容器は、略コイル形に巻かれた結束帯を搭載する底板と、この底板の一端部に接続される正面板と、底板の他端部に接続されて正面板に対向可能な背面板と、この背面板に揺動可能に接続されて底板に対向可能な蓋板と、この蓋板に接続されて正面板に対向可能な重ね正面板と、底板の両側部にそれぞれ接続されて相互に対向可能な複数の側板とを含み、正面板と背面板の側部に、フラップ片をそれぞれ屈曲可能に接続し、蓋板に、結束帯用の引出口を設け、側板を、底板の側部に接続される第一の側板と、この第一の側板に屈曲可能に接続して重ねられる第二の側板とから形成するとともに、これら第一、第二の側板の間に、正面板と背面板のフラップ片をそれぞれ挟み持たせ、
切断部材は、収納容器の背面板表面の一側部から中央部にかけて取り付けられる切断板と、この切断板の一部が傾斜しながら起立することにより形成される押圧操作可能な切断操作片とを含み、切断板の残部と切断操作片の側部とが隣接してそれぞれ刃部に形成され、切断板の刃部と切断操作片の刃部との間に、蓋板の引出口から引き出された結束帯を挟んで切断することを特徴とする結束帯用収納容器。
【請求項２】
重ね正面板の側部に、挟持フラップ片を屈曲可能に接続し、この挟持フラップ片を、側板の第一の側板とフラップ片との間に挟み持たせる請求項１記載の結束帯用収納容器。
【請求項３】
底板と側板の第一の側板との間に挿入孔を形成し、側板の第二の側板に、挿入孔に挿入される挿入部を突出形成した請求項１又は２記載の結束帯用収納容器。
【請求項４】
請求項１、２、又は３に記載した結束帯用収納容器から結束帯を引き出して切断する結束帯用収納容器の取り扱い方法であって、
収納容器の蓋板の引出口から結束帯を外部に引き出し、この外部に引き出した結束帯を切断部材の切断板の刃部と切断操作片の刃部との間に挟み、切断操作片を押圧操作することにより、結束帯を切断することを特徴とする結束帯用収納容器の取り扱い方法。
【手続補正２】
【補正対象書類名】明細書
【補正対象項目名】０００９
【補正方法】変更
【補正の内容】
【０００９】
本発明においては上記課題を解決するため、段ボール紙により略有底筒形に形成された収納容器に結束帯を収納し、収納容器の周壁に、結束帯用の切断部材を設けたものであって、
収納容器は、略コイル形に巻かれた結束帯を搭載する底板と、この底板の一端部に接続される正面板と、底板の他端部に接続されて正面板に対向可能な背面板と、この背面板に揺動可能に接続されて底板に対向可能な蓋板と、この蓋板に接続されて正面板に対向可能な重ね正面板と、底板の両側部にそれぞれ接続されて相互に対向可能な複数の側板とを含み、正面板と背面板の側部に、フラップ片をそれぞれ屈曲可能に接続し、蓋板に、結束帯用の引出口を設け、側板を、底板の側部に接続される第一の側板と、この第一の側板に屈曲可能に接続して重ねられる第二の側板とから形成するとともに、これら第一、第二の側板の間に、正面板と背面板のフラップ片をそれぞれ挟み持たせ、
切断部材は、収納容器の背面板表面の一側部から中央部にかけて取り付けられる切断板と、この切断板の一部が傾斜しながら起立することにより形成される押圧操作可能な切断操作片とを含み、切断板の残部と切断操作片の側部とが隣接してそれぞれ刃部に形成され、切断板の刃部と切断操作片の刃部との間に、蓋板の引出口から引き出された結束帯を挟んで切断することを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
なお、重ね正面板の側部に、挟持フラップ片を屈曲可能に接続し、この挟持フラップ片を、側板の第一の側板とフラップ片との間に挟み持たせることができる。
また、底板と側板の第一の側板との間に挿入孔を形成し、側板の第二の側板に、挿入孔に挿入される挿入部を突出形成することが可能である。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、本発明においては上記課題を解決するため、請求項１、２、又は３に記載した結束帯用収納容器から結束帯を引き出して切断する結束帯用収納容器の取り扱い方法であって、
収納容器の蓋板の引出口から結束帯を外部に引き出し、この外部に引き出した結束帯を切断部材の切断板の刃部と切断操作片の刃部との間に挟み、切断操作片を押圧操作することにより、結束帯を切断することを特徴としている。
【手続補正７】
【補正対象書類名】明細書
【補正対象項目名】００１４
【補正方法】変更
【補正の内容】
【００１４】
ここで、特許請求の範囲における結束帯は、略シート形の樹脂や用紙に鉄芯を内蔵したタイプが好ましいが、切断部材で切断可能なタイプであれば、特に限定されるものではない。
【手続補正８】
【補正対象書類名】明細書
【補正対象項目名】００１６
【補正方法】変更
【補正の内容】
【００１６】
本発明によれば、収納容器がコートボール紙ではなく、強度に優れる段ボール紙により形成され、しかも、底板に、結束帯引き出し用の大きな円形の作業口が穿孔されることがないので、優れた剛性を得ることができ、収納容器の変形や破損を防止することができるという効果がある。また、収納容器が強度や耐久性に優れるので、結束帯用収納容器を詰め替えタイプとし、結束帯のみを交換し、既存の収納容器を長期に亘り継続使用することができるという効果がある。また、既存の収納容器の長期使用に伴い、収納容器を廃棄する必要がないので、廃棄物やＣＯ２排出量を削減することができる。また、切断部材が蓋板の引出口とは異なる背面板に装着され、しかも、結束帯用収納容器の固い隅部寄りに位置するので、切断部材の切断時に作用する負荷を結束帯用収納容器の固い隅部付近に吸収させることが可能となり、切断部材の切断力の向上が期待できる。
【手続補正９】
【補正対象書類名】明細書
【補正対象項目名】００１７
【補正方法】変更
【補正の内容】
【００１７】
また、収納容器の蓋板の一部分が開放するのではなく、蓋体の全部分が開放するので、結束帯の収納や交換の作業性を向上させることが可能となる。また、収納容器の正面板、背面板、及び側板をフラップ片により接続することができるので、収納容器の正面板、背面板、及び側板を強固に組み合わせることが可能となる。
【手続補正１０】
【補正対象書類名】明細書
【補正対象項目名】００１８
【補正方法】変更
【補正の内容】
【００１８】
また、側板を、第一、第二の側板により、肉厚の二重構造に形成するので、側板の強度を向上させることができる。また、第一、第二の側板の間に、正面板と背面板のフラップ片をそれぞれ挟み持たせることができるので、収納容器の正面板、背面板、及び側板に接着剤を敢えて用いることなく、強固に接続し、正面板、背面板、及び側板が分離して形態が崩れるのを防止することが可能となる。
【手続補正１１】
【補正対象書類名】明細書
【補正対象項目名】００１９
【補正方法】変更
【補正の内容】
【００１９】
請求項２記載の発明によれば、重ね正面板の挟持フラップ片を、フラップ片と側板の第一の側板との間に挿入すれば、正面板から重ね正面板が離れ、蓋板が不用意に開放して結束帯が汚染するのを防止することが可能となる。
【手続補正１２】
【補正対象書類名】明細書
【補正対象項目名】００２０
【補正方法】変更
【補正の内容】
【００２０】
請求項３記載の発明によれば、底板と側板との間の挿入孔に第二の側板の挿入部を挿入すれば、第一の側板から第二の側板が離れ、正面板、背面板、側板の姿勢が崩れることがなく、しかも、側板の強度低下を招くことが少ない。
【手続補正１３】
【補正対象書類名】明細書
【補正対象項目名】００４１
【補正方法】変更
【補正の内容】
【００４１】
また、底板２の前端部と正面板３との間の中央部付近に、収納容器１の左右方向に伸びる溝形の挿入孔９を形成し、重ね正面板６の端部中央付近に、挿入孔９に挿入される略台形で先細りの挿入部１５を突出形成することができる。また、蓋板５の略中心部以外の部分、例えば蓋板５の周縁部寄りに、引出口１１を穿孔することができる。
【手続補正１４】
【補正対象書類名】明細書
【補正対象項目名】００４２
【補正方法】変更
【補正の内容】
【００４２】
また、蓋板５の中心部と周縁隅部との間付近に、結束帯３０の有無を確認する略円弧形等の確認孔４３を必要数穿孔することができる。